(57)【要約】  光ファイバ構成要素の清掃道具（１０）は、外壁（４０）、密閉された底壁（１８）、及び開放端部（２０）を有する本体（１４）を画定する容器（１２）を含み、開放端部は、縁部を画定する。柔軟で大きな作業面（３８）は、外壁の少なくとも一部分に配置される。複数の清掃用拭い布（２４）は、容器の内側に配置される。拭い布は、溶剤で予め湿らされる。密閉部（２６）は、容器の開口部に亘って延在し、縁部で容器を密閉する。密閉部は、開口部（２８）を画定するために、そこに壊れやすい部分を有する。蓋（１６）は、開放端部に亘って容器に適合する。蓋は、密閉部の壊れやすい部分と協同するための開口部を有する。清掃用拭い布は、密閉部の開口部と蓋の開口部とを介して容器の内部から供給され、光ファイバ構成要素を清掃をするために作業面に配置される。清掃用拭い布は、天然材料と合成材料との混紡のような不織布の材料から形成される。
2008542852.tif 000002
【特許請求の範囲】
【請求項１】
光ファイバ構成要素の清掃道具であって、
外壁、密閉された底壁及び縁部を画定する開放端部を有する本体を画定する容器と、
前記外壁の少なくとも一部分の大きくて柔軟な作業面と、
前記容器の内側に配置される複数の清掃用拭い布であって、前記拭い布が溶剤によって予め湿らされている、複数の清掃用拭い布と、
前記容器の開口部に亘って延在し、前記縁部で前記容器を密閉する密閉部であって、前記密閉部の開口部を画定するために、壊れやすい部分を有する密閉部と、
前記開放端部に亘って前記容器に適合する蓋であって、前記密閉部の壊れやすい部分と協同するための開口部を有する蓋と、
を具備する光ファイバ構成要素の清掃道具において、
清掃用拭い布が、前記密閉部の開口部と前記蓋の開口部とを介して前記容器の内部から供給され、清掃をするために前記作業面に配置される、
光ファイバ構成要素の清掃道具。
【請求項２】
前記容器が円筒形状を有し、前記複数の清掃用拭い布がロール形式であり、前記ロールの中心から供給される、請求項１に記載の清掃道具。
【請求項３】
前記複数の清掃用拭い布の各々が、隣接する清掃用拭い布から分離することが出来る、請求項２に記載の清掃道具。
【請求項４】
前記容器が、成型されたプラスチックから形成される、請求項１に記載の清掃道具。
【請求項５】
前記プラスチックが、静電気放電材料である、請求項４に記載の清掃道具。
【請求項６】
前記密閉部の壊れやすい領域が、Ｘ字型を有して形成され、前記蓋の開口部が、Ｘ字型を有する、請求項１に記載の清掃道具。
【請求項７】
前記Ｘ字型の壊れやすい領域と前記Ｘ字型の蓋の開口部とが、互いに食い違い交差する、請求項６に記載の清掃道具。
【請求項８】
前記作業面が、非剥離材料から形成される、請求項１に記載の清掃道具。
【請求項９】
前記作業面が、堅固な、閉鎖セル材料、又は覆われた開放セルマトリックスから形成される、請求項８に記載の清掃道具。
【請求項１０】
前記作業面が、ネオプレンから形成される、請求項９に記載の清掃道具。
【請求項１１】
前記複数の清掃用拭い布が、ロールに配置される、請求項１に記載の清掃道具。
【請求項１２】
前記蓋の開口部に亘って適合するカバーを含む、請求項１に記載の清掃道具。
【請求項１３】
前記カバーが、前記蓋に取付けられる、請求項１２に記載の清掃道具。
【請求項１４】
前記カバーが、可撓性の帯板によって前記蓋に取付けられる、請求項１３に記載の清掃道具。
【請求項１５】
前記清掃用拭い布が、不織布の材料から形成される、請求項１に記載の清掃道具。
【請求項１６】
前記清掃用拭い布が、天然材料と合成材料との混紡から形成される、請求項１５に記載の清掃道具。
【請求項１７】
前記拭い布が、少なくとも部分的にポリエステル／セルロースの混紡から形成される、請求項１６に記載の清掃道具。
【請求項１８】
前記拭い布が、少なくとも部分的に親水性の材料から形成される、請求項１５に記載の清掃道具。
【請求項１９】
前記拭い布が、吸収性の芯と非吸収性の外側部分を有するように形成される、請求項１５に記載の清掃道具。
【請求項２０】
前記拭い布は、触ると比較的に乾いていて、圧力が前記拭い布に掛けられると溶剤を放出するように、前記吸収性の芯が親水性の材料であり、前記非吸収性の外側部分が疎水性の材料である、請求項１９に記載の清掃道具。
【発明の詳細な説明】
【技術分野】
【０００１】
本発明は、光ファイバ構成要素の清掃道具に関する。より詳細には、本発明は、そこに作業面又はプラテンを備える容器内に複数のウェットタイプの清掃布を有するウェット式光ファイバ構成要素の清掃道具に関する。
【背景技術】
【０００２】
光ファイバの伝送速度は、毎秒1ギガバイトから最近の標準である毎秒10ギガバイトに増加した。幾つかのネットワークでは、近い将来に伝送速度が毎秒40ギガバイトになると予測し、毎秒ぺタバイト及びテラバイトのオーダーの伝送速度を達成するための作業が続いている。
【０００３】
これらの伝送速度を達成する、維持する及びさらに凌駕するために、伝送媒体（例えば光ファイバコンダクタ）は、厳格な規格と公差で製作され、維持されなければならない。それに対し、製作及び製造中に、光ファイバ構成要素の端面は、埃、塵、油、グリース、及びその他の破片でしばしば汚染され、これらの端面を清掃することは、高速伝送の精度を保持する。さらにコンダクタの端面は、これらの高い伝送速度に必要な水準を維持するために、引っかき傷、バリ及びそのような物から無縁でなければならない。同一水準の清掃は、据付、保守管理及び試験手順に対しても等しく不可欠である。清掃は、ＶｏＩＰ（ボイップ：ボイス・オーバー・アイピー）及びＴＶｏＩＰ（ティービー・オーバー・アイピー）、同様に標準データの拡張、テレビ及び高容量光ファイバネットワークに加えられることが予測される及び計画される追加のサービスのために重要である。
【０００４】
異なる仕上がりの程度を備えて多数の装置が、光ファイバの端面を清掃するために使用される。毛羽立ちを最小にする及び／又は回避することは、端面を遮断する繊維状材料が、レーザー光伝送の損失の原因となり得ることにおいて重要である。普通には、紙製品及びその他の剥離する材料は、毛羽立ちを生ずるから選択されない。加えて、紙製品を湿式清掃技術で概ね使用することが出来ない。濡れた紙製の清掃製品は、ちぎれの原因となり、毛羽立ち問題を悪化させる。
【０００５】
湿式清掃に関して、例えば溶剤のような液体の使用が、引っかき傷の可能性を低減する一方で、コネクタを清掃する能力を大いに増強することが分かった。しかしながら、既存の清掃装置（又はキット）は、別の溶剤噴霧又はその他の塗布と共に乾式拭い布又はタオルの使用を必要とする。「湿式」清掃における過剰の溶剤は、残留物によって信号損失の原因に成りうることがまた概ね認められる。
【０００６】
【特許文献１】米国特許第６８６５７７０号明細書
【発明の開示】
【発明が解決しようとする課題】
【０００７】
従って、コネクタ端面の残留物を低減し排除するために、柔軟で大きな清掃面を組み込んだ光ファイバの清掃装置に対する必要性が存在する。望ましくは、このような清掃装置は湿式清掃を考慮して、内蔵式パッケージに予め湿らせた清掃品（タオル）を収納する。さらに望ましくは、このような拭う道具は、（過剰な湿分が浮遊汚染物質を誘引することを防止するために、）適量の溶剤を供給する。
【課題を解決するための手段】
【０００８】
光ファイバ構成要素の清掃道具は、外壁、密閉された底壁及び開放端部を有する本体を画定する容器を含む。開放端部は、縁部を画定する。柔軟で比較的に大きな作業面又はプラテンは、外壁の少なくとも一部分に配置される。本容器は、成型されたプラスチックである。
【０００９】
複数の清掃用拭い布は、容器の内側に配置される。拭い布は、溶剤によって予め湿らされている。好適な道具において、容器は円筒形状を有し、清掃用拭い布はロール形式で、ロールの中心から供給される。拭い布は、隣接する清掃用拭い布から（例えばミシン目によって）分離することが出来る。拭い布の材料は、不織布又は織布の、天然又は合成材料である。好ましくは、拭い布は、天然材料と合成材料との混紡から、例えばポリエステル／セルロースの混紡から形成される不織布の材料である。
【００１０】
拭い布は、少なくとも部分的に親水性の材料から形成され、拭い布は、触ると比較的に乾いていて、圧力が拭い布に掛けられると溶剤を放出するように、例えば親水性の芯材料と疎水性の外側材料のような、吸収性の芯と非吸収性の外側部分とを有して製作することが出来る。有利には、このような構造は、表面を清掃した時に表面を乾かす。
【００１１】
容器に関して、密閉部は、容器の開口部に亘って延在し、縁部で容器を密閉する。密閉部は、密閉部の開口部を画定するために、壊れやすい部分を有する。Ｘ字型を有する密閉部を形成することが出来る。蓋は、開放端部に亘って容器に適合する。蓋は、密閉部の壊れやすい部分と協同するための開口部を有する。密閉部の開口部と互いに食い違い交差させた又は（例えば回転させて）ずらしたＸ字型を有する、蓋の開口部をまた形成することが出来る。密閉部の開口部と蓋の開口部のこの位置関係は、溶剤の蒸発を遅延する。密閉部はさらに、容器内の溶剤が蒸発する場合に、例えばエアゾール噴霧器及び延長チューブを用いて溶剤の追加が可能である。
【００１２】
蓋は、溶剤の蒸発をさらに低減するために、蓋の中の開口部を密閉する又は半密閉する（例えば重ねる）ためのカバーを含むことが出来る。
【００１３】
清掃用拭い布は、容器の内部（及びロールの芯の中央）から密閉部の開口部及び蓋の開口部を介して供給され、光ファイバ構成要素を清掃するために、作業面に配置される。
【００１４】
作業面又はプラテンは、非剥離材料から形成され、好ましくは、ネオプレンのような、堅固な閉鎖セル材料又は覆われた開放セルマトリックスから形成される。作業面は、容器の大きさ及びラベル表示の必要性に応じて、正方形、長方形又は任意の所望される形状であってよい。ＭＴＰ（登録商標）及びスナップ式のシュラウド付コネクタのような所定のタイプのコネクタを清掃するために、一段高くした帯板から作業面を形成してもよい。
【００１５】
本発明のこれらの及びその他の特徴と利点とは、添付の請求項と共に、以下の詳細な記述から明らかになるだろう。
【００１６】
本発明の利点と長所は、以下の詳述と添付図面を吟味した後で、当業者にとってさらに容易に明らかになるだろう。
【発明を実施するための最良の形態】
【００１７】
本発明は、様々な実施形態が可能である一方、本開示が、本発明の典型的な具体例として考慮され、図示された特定の実施形態に本発明が限定されることを意図していないことの理解をもって、好適な本実施形態が、図面で示されこれ以降に述べられるだろう。
【００１８】
この明細書のこの部分のタイトル即ち「本発明の詳細な記述」は、米国特許庁の要件に関係し、ここで開示された主題を限定することを意味しない又は意味させるべきでないことをさらに理解するべきである。
【００１９】
図面を参照して、特に図１において、本発明の原理に従うウェットタイプの光ファイバ構成要素の清掃道具１０が示される。清掃道具１０は、本体１４と蓋１６とを有する容器１２を含む。本容器の本体１４は、密閉された底部壁１８と、蓋１６が適合する開放端部２０とを備える（軸線Ａ14を有する）樽又は円筒形状を有する。（密閉された底部壁１８と反対側の）本体の開放端部２０は、縁部２２を画定する。
【００２０】
複数の拭い布又はタオル２４が、容器１２内に配置される。拭い布２４は、不織布で毛羽立たない（又は毛羽の出ない）材料であり、早い蒸発を緩和した低蒸気圧の炭化水素の溶剤Ｓを予め湿らせる又は予め濡らしてある。ある適切な溶剤は、ITW Chemtronics of Kennesaw, Georgia の市販品として入手可能な ELECTRO-WASH（登録商標）MX である。このような清掃具は、プラスチック製で安全であり、オゾン層に優しく、（密閉された容器からの飛散を防止するために）比較的低い蒸気圧を有し、（清掃力を増加するために）適度な蒸発速度を有し、有機性の及びイオン性の汚物を除去し、残留物の全く無い最小の状態に保つ。例えば、ナフサ、エタノール、酢酸エチル及びイソプロパノールから処方することが出来る。溶剤は、作業員の安全性を保証するために、一般に是認された限界値(TLV)を有する。
【００２１】
毛羽立たない拭い布を任意の幅広く様々な材料から形成するが出来る。例えば拭い布をポリエステル（又は粗い感触のポリエステル）／セルロースの混紡から形成することが出来る。拭い布を、高吸収性ポリマー材料のような、アクリレート（ポリアクリレートとポリアクリルアミド）を主素材とする高吸収材のような、及び同等の物のような親水性の材料からまた形成することが出来る。拭い布を形成するのに使用のその他の適切な材料は、ポリ（アクリル酸）とポリ（メタクリル酸）、ポリ（アクリルアミド）、ポリ（ビニルエーテル）、ビニルエーテルとアルファ−オレフィンとによる無水マレイン酸コポリマー、ポリ（ビニルピロリドン）、ポリ（ビニルモルフォリノン）、且つその混合体とコポリマー、例えば加水分解アクリロニトリル−グラフト化スターチ、アクリル酸グラフト化スターチ、メチルセルロース、キトサン、カルボキシメチルセルロース、ヒドロキシプロピルセルロース、及び例えばアルギン酸塩とキサンタンゴムとローカストビーンゴムとの天然ゴムのような、天然の及び改良された天然のポリマー、並びにその同等体を含む。
【００２２】
吸湿性であるが、飽和した又は割合に飽和した時でさえ、触れると比較的乾いている「感触である」材料を使用することが出来ることがまた期待される。圧力が繊維に掛けられた時に、吸収した液体を放出するような繊維を製造することが出来る。例えば、このような繊維は、（ポリプロピレン又はポリエチレンを主素材とする材料のような）疎水性の材料の多孔性の外側被膜又は鎧装を備える、（一つ又はそれ以上の上記の高吸収材料のような）親水性の芯を含んでもよい。このような材料は、触れると乾いた「感触」の利点を有する一方で、（清掃される表面に拭い布を圧搾する又は圧迫するような）圧力が拭い布に掛けられる時に、又は、清掃中に光ファイバのコネクタの端面によって、拭い布の表面に圧力が作用される時に、溶剤（の清掃溶液）を保持し、放出することが出来るだろう
【００２３】
容器１２は、溶剤の蒸発を防止するために、縁部２２の全周の開放端部２０に配置される密閉部２６を含む。本道具１０において、密閉部２６は、開放端部２０を覆う、ホイル又はホイルと高分子ラミネートである。密閉部２６は、そこに開口部２８を含み、その開口部を介して拭い布２４が容器１２から引っ張り出される。本密閉部２６において、開口部２８は、壊れやすい領域２９として形成され、使用が開始されるまで密閉される。このように、容器１２は、最初の使用まで密閉を保つ。このことは、溶剤Ｓの蒸発を低減する。
【００２４】
蓋１６はまた、開口部３０を含み、その開口部を介して拭い布２４は、使用する時に引っ張り出される。本道具１０において、蓋１６は、Ｘ字型の開口部３０を含み、密閉部２６は、（最初の使用で）開けられる壊れやすいＸ字型の開口部２８を含む。好適な道具１０において、密閉部の「Ｘ」２８と蓋の「Ｘ」３０とは、Ｘ２８、３０のアームが互いに重なり合わないように、（例えば図４で分かるように互いに対して回転して）互いにずれている。このことは、（容器１２内の）拭い布２４と外界との間の密閉部を最大にする。この食い違い交差の密閉部２８、３０を用いてウェットタイプの拭い布２４の外界への曝露を低減することによって、溶剤Ｓの蒸発は、道具１０の最初の使用後に最小化される。拭い布２４が清掃を実施するために乾きすぎになる場合に、食い違い交差の密閉部２８／３０は、さらに容易に溶剤を追加することが出来る。例えば、容器１２に溶剤Ｓを追加するために、エアゾール噴霧器及び延長チューブを使用することが出来る。
【００２５】
蓋１６は、さらに溶剤の蒸発を低減するために、開口部３０に亘って適合するカバー３２を含む。好適なカバー３２は、カバー３２を不注意に置き忘れることを防止するために、蓋１６に取付けられたカバー３２を維持するための例えばプラスチックの帯板又はつなぎ鎖３４によって蓋１６に取付けられる。
【００２６】
拭い布２４は、容器１２内にロールＲ形式で提供される。拭い布２４は、密閉部の開口部２８と蓋の開口部３０を介して上方に、ロールＲの内側（中央部）から分配される又は引っ張り出される。好ましくは、拭い布２４は、例えば拭い布の間のミシン目３６によって隣接する拭い布から分離することが出来る。
【００２７】
本道具１０は、容器本体１４の側面４０に、大きくて柔軟な清掃面又は作業面３８を含む。作業面３８は、非剥離材料から形成される。好ましくは、作業面３８に使用される非剥離材料は、ネオプレンのような、堅固な閉鎖セル材料である。代替として、作業面３８を、例えばブナ（登録商標）−Ｎ（ニトリルブチルゴム）ビニル又は同様の柔軟で弾力のあるポリマーから形成することが出来る。本質的に、任意の柔軟で弾力のある材料を使用することが出来る。作業面３８に対する所望される特徴は、液体の不透過性及び化学の／溶剤の耐性を含む。このために（多重の帯板として形成出来る）作業面３８を、同時押し出し成型される材料又はフィルムを形成することによるような、作業面に付着される又は作業面に形成される保護層を有する柔軟で弾力のある材料から形成することが出来る。このような作業面３８は、本願と共通に与えられ参照によってここに組み込まれる、フォレスト(Forrest）の特許文献１において十分に述べられている。
【００２８】
本道具１０の本体１４と蓋１６とは、好ましくは、ポリプロピレン（PP）、ポリエチレンテレフタル酸塩(PET)、ポリエチレン(PE)又は同様の物のような、容易に入手可能な重合体の材料から形成される。材料はまた、静電気放電材料であってもよい。
【００２９】
使用時に、光ファイバケーブル（の端面）Ｃは、作業面３８上に配置される。片手を使ってケーブルＣを、面上の所定の位置に保持することが出来る。それから拭い布２４が道具１０から分配され、作業面３８上に保持されて、ケーブルＣが清掃される。拭い布２４が、予め湿らされる又は予め濡らされる点において、溶剤の追加は、ケーブルＣを適切に清掃するために必要でないかもしれないことが予測されるが、容易に追加することが出来る。本道具１０の構成は、拭い布２４に適度の溶剤量を提供するために役立つ。適度の量は、（拭い布２４の過剰な湿分を低減することによって、）空中浮揚の汚染物質を誘引する可能性を低減するために役立つ。
【００３０】
先に検討したように、親水性の拭い布材料の使用は、好適な組合せの清掃技術を可能にし、その技術において、コネクタの端面は溶剤が塗布される場合に乾燥される。
【００３１】
本道具１０は、光ファイバの構成要素を清掃するための、小型で使用が容易で内臓タイプのキットを提供する。費用効率の高い密閉された容器１２内に、予め湿らされた又は濡らされた拭い布２４を有することは、構成要素の清掃に関する時間と経費を低減し、大きな作業面３８を有することは、光ファイバ構成要素の清掃を実施するために、一つの道具（又はキット）を所持することを可能にする。本道具１０の作業面３８は、本作業面３８の大きさの約8分の1から10分の1の表面を使用する以前の構造よりも好まれる。
【００３２】
ここに参照された全ての特許は、この開示の本文中で明確になされているかどうかにかかわらず、その結果、参照によってここに組み込まれる。
【００３３】
本開示において、文字「a」又は「an」は、単数と複数の両方を含むと考慮されるべきである。逆に、複数の用語として任意に参照されるものは、必要に応じて単数を含むであろう。
【００３４】
上記から、本発明の新規概念の真の精神と範囲から乖離することなく、多数の変更と変形を実施することが出来ることが認められるだろう。図示された特定の実施形態に関して限定を意図しない又は意味するべきでないことを理解すべきである。本開示は、請求項の範囲内にあるこのような変更の全てを、添付の請求項によって包含することを意図する。
【図面の簡単な説明】
【００３５】
【図１】容器が開いて示され、そこから部分的に拭い布が引張り出された、本発明の原理を具体的に表す、ウェットタイプの光ファイバ清掃道具の斜視図である。
【図２】明瞭にするために拭い布を取り除き、さらに作業面を示している図１の容器の斜視図である。
【図３】容器の密閉部を示すために蓋を取り除いた容器の斜視図である。
【図４】蓋の開口部（及び隠れ線によって密閉部の協同する開口部）を示す例示の蓋の平面図である。
【図１】
2008542852.tif 000003
【図２】
2008542852.tif 000004
【図３】
2008542852.tif 000005
【図４】
2008542852.tif 000006
【手続補正書】
【提出日】平成19年12月4日(2007.12.4)
【手続補正１】
【補正対象書類名】特許請求の範囲
【補正対象項目名】全文
【補正方法】変更
【補正の内容】
【特許請求の範囲】
【請求項１】
光ファイバ構成要素の清掃道具であって、
外壁、密閉された底壁及び縁部を画定する開放端部を有する本体を画定する容器と、
前記外壁の少なくとも一部分の大きくて柔軟な作業面と、
前記容器の内側に配置される複数の清掃用拭い布であって、前記拭い布が溶剤によって予め湿らされている、複数の清掃用拭い布と、
前記容器の開口部に亘って延在し、前記縁部で前記容器を密閉する密閉部であって、前記密閉部の開口部を画定するために、壊れやすい部分を有する密閉部と、
前記開放端部に亘って前記容器に適合する蓋であって、前記密閉部の壊れやすい部分と協同するための開口部を有する蓋と、
を具備する光ファイバ構成要素の清掃道具において、
清掃用拭い布が、前記密閉部の開口部と前記蓋の開口部とを介して前記容器の内部から供給され、清掃をするために前記作業面に配置される、
光ファイバ構成要素の清掃道具。
【請求項２】
前記容器が円筒形状を有し、前記複数の清掃用拭い布がロール形式であり、前記ロールの中心から供給される、請求項１に記載の清掃道具。
【請求項３】
前記複数の清掃用拭い布の各々が、隣接する清掃用拭い布から分離することが出来る、請求項２に記載の清掃道具。
【請求項４】
前記容器が、成型されたプラスチックから形成される、請求項１に記載の清掃道具。
【請求項５】
前記プラスチックが、静電放電材料である、請求項４に記載の清掃道具。
【請求項６】
前記密閉部の壊れやすい領域が、Ｘ字型を有して形成され、前記蓋の開口部が、Ｘ字型を有する、請求項１に記載の清掃道具。
【請求項７】
前記Ｘ字型の壊れやすい領域と前記Ｘ字型の蓋の開口部とが、互いに食い違い交差する、請求項６に記載の清掃道具。
【請求項８】
前記作業面が、非剥離材料から形成される、請求項１に記載の清掃道具。
【請求項９】
前記作業面が、堅固な、閉鎖セル材料、又は覆われた開放セルマトリックスから形成される、請求項８に記載の清掃道具。
【請求項１０】
前記作業面が、ネオプレンから形成される、請求項９に記載の清掃道具。
【国際調査報告】
2008542852.tif 000007
2008542852.tif 000008
2008542852.tif 000009
2008542852.tif 000010